(57)【要約】【課題】ゴルフ場、ゴルフ練習場のグリーンの芝生を傷つける事なく、また、カップ内のゴルフボールを拾い上げる際にカップの縁の芝生を傷つけることもなく、足腰の屈伸をせずに容易に素早く、ゴルフボールを拾い上げられるゴルフパタークラブを提供する。【解決手段】ゴルフパターヘッド（１）の底面に穴または欠き込み（２）を設け、ゴルフパタークラブに装着したボール保持部材によりゴルフボールを保持しゴルフボールが落下することなく容易に素早く拾い上げる事ができるゴルフ用パタークラブを特徴とする。【選択図】  図１
2012029858.tif 000002
【特許請求の範囲】
【請求項１】
底面を広くし、ゴルフボールが容易に通過できる穴または切り込み部分を有することができるゴルフパターヘッドであって、直径１０８ｍｍのカップ内に容易に挿入できる大きさ以内とし、それに固定されたシャフトと、シャフトに固定されたグリップ部分からなるゴルフ用パターであって、前記の底面の広いパターヘッドのフェース後方部には、ゴルフボールの直径４２ｍｍが下方から上方に向かい容易に通過できる穴または切り込み部分を設け、パターフェースの底面より若干上部にゴルフボールの落下を防ぐボール保持部材を装着したことを特徴とするゴルフ用パタークラブ。
【請求項２】
前記ゴルフボールの下方から上方への通過部分の穴の形状は円形、切り込みの場合は口の部分が若干狭いＵ字型とした請求項１に記載のゴルフ用パタークラブ。
【請求項３】
前記ゴルフボールの通過部分の穴または切り込み部分の中心はゴルフ用カップの中心と略一致するように配置する請求項１乃至請求項２記載のゴルフ用パタークラブ。
【請求項４】
前記ゴルフ用パターヘッドのボール通過部分の穴または切り込み部分の底面より若干上の部位３ｍｍ程度にゴルフボールの落下を防ぎゴルフボールを受け止めることのできるボール保持部材を装着した請求項１記載のゴルフ用パタークラブ。
【請求項５】
前記ゴルフ用パターヘッドのボール通過部分の穴または切り込み部分の上方、下方に面取り加工を施した請求項１記載のゴルフ用パタークラブ。
【発明の詳細な説明】
【技術分野】
【０００１】
本発明は、ゴルフパターの改良に係り、グリーンにおいてホールインしたボールを腰をかがめることなく立ったままの姿勢でホール内からボール拾い上げることのできるゴルフ用パタークラブに関する。
【背景技術】
【０００２】
従来、ボールを掬い上げのできるもの（特許文献７）これの場合ボールを掬う動作の過程でクラブシャフトの操作の際にカップの縁を傷めてしまう可能性が有る。機械的な操作によりボールを捕まえ拾い上げるもの（特許文献１）。パターヘッドでゴルフボールを挟み上げるのも（特許文献６）の場合、気温の変化等によりゴルフボールが堅くなったり若干大きさが変化したりしてゴルフボールを挟み込む力加減が強くなりグリーンの芝を押さえ過ぎボールマークが出来る恐れと、同時にゴルフ用カップの縁を損傷させることも懸念される。ゴルフパターのグリップ部分に装置を装着し機械的に掴み上げ脱着するもの（特許文献３）等が有った。
【先行技術文献】
【特許文献】
【０００３】
【特許文献１】特許公開２００８−８００８４
【特許文献２】特許公開２００８−１７３４３１
【特許文献３】特許公開平９−２０６４１５
【特許文献４】特許公開平７−２３６７０９
【特許文献５】特許公開２００５−１６０６９１
【特許文献６】特許公開２００７−３０７３３４
【特許文献７】特許公開２００６−２２３７０１
【特許文献８】実用新案登録第３１３０００４号
【発明の概要】
【発明が解決しようとする課題】
【０００４】
ゴルフ人口の増加と共に、老若男女、障害の有無を問わずゴルフを楽しむようになりました。カップインをしたボール、プライベート・ゴルフの場合のグリーン上のオーケーボールを拾い上げるに足腰の痛みや体の障害、女性の服装でミニスカート等により同伴ゴルファー等の視線が気になり、ボールの拾い上げに抵抗を感じた事は多くのゴルファーが少なからず経験しています。
本発明は、これらの悩みを解消し、ゴルプレーの進行に効果的で、スムーズにボールを拾い上げられる様に考慮したものです。
【課題を解決するための手段】
【０００５】
前記課題を達成するため、ゴルフ用パターヘッド（１）にゴルフボールが余裕を持って通過出来る穴または欠き込み（２）を設け、パターヘッドに装着、接着、または、埋め込みをしたボール保持部材（３）等により、ボールの落下を防ぎゴルフボールを容易に拾い上げる事ができ、更に、打撃方向の左右に均等に重量を配分させスイートスポットを広くし、ゴルフボールに見立てた穴、切り込みが照準の役目を果たしビギナーにも、上級者にも容易に使用できるゴルフパターである。
【発明の効果】
【０００６】
従来の、ゴルフパターと何ら変わりなく使用が容易で、ゴルフルールにも接触せず、ゴルフプレーにも支障なく使用でき、ゴルフカップを痛める事も無く、グリーンの芝を傷つける事も無しに、足腰の屈伸を必要とせずグリーン上、カップ内のボールを素早く拾い上げる事ができゴルフプレーの円滑進行にも有効である。
【図面の簡単な説明】
【０００７】
【図１】本発明の斜視図である。
【図２】本発明の断面図である。
【図３】本発明の平面図である。
【図４】本発明のカップ内の平面図である。
【図５】本発明のカップ内のボールを確保する場面の断面図
【図６】本発明のカップ内のボールを拾い上げる場面の断面図
【発明を実施するための形態】
【０００８】
以下、本考案を実施するための最良の形態について説明する。
底面を広くし、ゴルフボールが容易に通過できる穴または切り込み部分を有することができるゴルフパターヘッドであって、直径１０８ｍｍのカップ内に容易に挿入できる大きさ以内とし、それに固定されたシャフトと、シャフトに固定されたグリップ部分からなるゴルフ用パターであって、前記の底面の広いパターヘッドのフェース後方部には、ゴルフボールの直径４２ｍｍが下方から上方に向かい容易に通過できる穴または切り込み部分を設け、パターフェースの底面より若干上部にゴルフボールの落下を防ぐボール保持部材を装着したことを特徴とするゴルフ用パタークラブ。
さらに、ゴルフパターのボールの通過する部分の穴または切り込み部の底面より若干上部３ｍｍの位置で、パターのスイートスポットの中心位置で照準ラインに合わせボール保持部材（３）をボールの直径より若干狭くなるよう装着する。パターの穴に被せたボールは装着されたボール保持部材を容易に通過し、通過したボールはボール保持部材によりゴルフボールを保持し落下させない構造である。
本発明は、以上のような構造である。
ボール保持部材の装着数は１以上とし、ゴルフボール通過部の穴または切り込み部の1部分、及び、それ以上全部分までとし、ボール保持部材の形状は特に指定しない。ボール保持部材は、弾力素材、柔軟素材、伸縮素材、形状記憶合金が適している。
これを使用すれば、足腰の屈伸を必要とせず、容易に、素早く、グリーンの芝生、カップの縁等を傷めること無くゴルフボールを確実に拾い上げることかできる。
【０００９】
本件発明のパターを、実用できるまでにするには、以下のような手段によって完成に至った。
本発明のゴルフパターを、加工の容易な木材を用いて試作した。試作第１号の穴は縦方向の楕円とした。楕円の方がボールを容易に通過させられるものとの想定である。次に、楕円の穴を横方向として見る。縦、横何れがボールを捕獲し易いかを比較。パターを持つ人の視線の方向からして打撃方向に対して横の方がボールを捕獲が容易であった。楕円の穴の場合にはボールの落下を防ぐためのボール保持材を６ヶ所設置した。
【００１０】
次の試作は同様に木材を使用しボールの通過できる口を若干狭くしたＵ字型の切り込みを設けたパターである。この場合、カップの隅に制止したボールを拾い上げの際には容易にすくい上げることができる。
【００１１】
試作第４号は、木製で穴は円形とし穴の直径を４４ｍｍとした。この場合、ボール保持のためのボール保持部材は３ヶ所に均等間隔で設置した。カップ中心部のボールの確保は容易であるが、カップの隅に制止したボールの拾い上げには掬い上げる方が無難であった。しかし、掬い上げる時パターの操作によってカップの縁の芝生を傷める可能性を否定出来ない。
【００１２】
試作第５号は、市販のゴルフパターの改造を試みた。市販のゴルフパターはカップ内に挿入することを想定して製造されていないため、改造には限界があり使用することは可能で有ったが好ましいものには仕上がらなかった。
【００１３】
試作第６号は、鉄板を素材とし製作、金属を用いたことでも木製では不可能な極度に細い狭窄部を設けることができた。さらに、パターに設けたボール通過部分の底面より４５度に設けたテーパーにより中心部へのボール誘導は容易となる。これにより、カップの隅に制止したボールもボールの半径２１ｍｍの３分の２程度の位置にパターの狭窄部分を当てることによりボールはパターの穴の中心部へと誘導が可能となりボールを掬うという動作を必要としなくなりカップ廻りの芝生を傷つけることは皆無となる。
本件、試作第６号ではボール保持部材は３ヶ所としていた。
【００１４】
試作第７号は、素材をアルミとして製作した。素材をアルミとしたことで比重が小さいためパターの厚さを増し、面積もカップに挿入できる最大とした。これにより、ヘッドの大きさがボールを打つ際のゴルファーが心理的に安心感が増すように思われる。最近のドライバー用ゴルフクラブのヘッドがルール限界に近い大きなものが好まれる理由と同様である。このパターの場合には、アルミという素材を用いたため素材が柔らかであり比重が小さい二つの理由からボール打撃部分にステンレス板を装着フェース面の打撃に対する補強と、ヘッドの重量の増加を達成させた。
【００１５】
試作第８号は、素材をステンレスとし、試作第７号までに得た結果を総合的に克服した物にと完成度を高めた。ボール保持のためのボール保持部材も照準と兼ねた位置の一ヶ所としたことでボールの通過はより円滑となり、パターに人的な力で加える事なくボールの上にパターに設けた穴を合わせ、パターを持ち上げていた手の力を抜けばパターの重量だけでボールはボール保持部材を通過し、ボール保持部材の上に乗せられボールは落下しない状態になる。
以上のような過程を経て製作したゴルフパターの試作第６号、第７号、第８号は何れも、実用が可能でカップインしたカップ内の何れかの位置に静止した状態のボールであっても、また、芝生上のボールも確実に、素早くボールを拾い上げる事が出来るように完成度の高いものとなった。
試作第６号、第７号、第８号のパターを、７名のゴルファーによる試験使用の結果を紹介する。パターの利用方法を説明したのち試験を開始した。シングルゴルファーもビギナーゴルファーも、それぞれのパターを２０〜３０回程度繰り返し使用するも拾い上げ時に１球も落球すること無く試験は好評を得て終了した。
【００１６】
本発明は、本発明の広義の精神と範囲を逸脱することなく、様々な実施形態及び変形が可能とされるものである。また、上述した実施形態は、本発明を説明するためのものであり、本発明の範囲を限定するものではない。
【産業上の利用可能性】
【００１７】
本発明のゴルフ用パタークラブは、ゴルファーのボールを拾い上げる苦痛を解消するのに適している。
【符号の説明】
【００１８】
１  ゴルフパターヘッド
２  ボール通過部分の穴または欠き込み
３  ボール保持部材
４  ゴルフボール
５  ゴルフパタークラブのシャフト
６  ボールを誘導するための面取り部
７  左右均等に配置されたウェート部分
８  ゴルフ用のカップ
９  ゴルフ場グリーンの芝生及び客土
【図１】
2012029858.tif 000003
【図２】
2012029858.tif 000004
【図３】
2012029858.tif 000005
【図４】
2012029858.tif 000006
【図５】
2012029858.tif 000007
【図６】
2012029858.tif 000008